(57)【要約】      （修正有）【課題】円形水路グレーチング蓋を短時間で容易に取り外す事が出来る機能を有するようにした。【解決手段】本体フレーム１、既製油圧ジャッキ２、レバーハンドル１２の一体化したもので引っ張りフック６が既製油圧ジャッキ２の動作により上下移動し、円形水路グレーチング蓋９を取り外す事が出来る円形水路グレーチング蓋取り外し器。【選択図】図１
0003111374.tif 000002
【実用新案登録請求の範囲】
【請求項１】
本体フレーム１を道路面１１上にグレーチング蓋９を跨ぐように設置し、グレーチング蓋９内に引っ張りフック６を掛ける。既製油圧ジャッキ２を作動させる事により押し上げプレート３と引っ張りプレート４が上昇する、引っ張りフック６を介して円形水路１０にはめ込んであるグレーチング蓋９がせり上がり、取り外しが出来る事を特徴とする円形水路グレーチング蓋取り外し器。
【考案の詳細な説明】
【技術分野】
【０００１】本考案は、道路側溝に使用されている円形水路グレーチング蓋の取り外しに関する。
【背景技術】
【０００２】従来、様々な側溝蓋の取り外し器があったが、重量があり、持ち運び操作性に難があった、それらの器具は、円形水路グレーチング蓋の取り外しには適さない構造のものである。
【考案の開示】
【考案が解決しようとする課題】
【０００３】従来、円形水路グレーチング蓋を鋼性バール及びフック等を用いて、人力にて取り外している為、多大な労力と時間が掛かる等の問題があり課題となっていた。
【課題を解決するための手段】
【０００４】本体フレーム１を道路面１１上に円形水路グレーチング蓋９をまたぐように設置し、引っ張りフック６をグレーチング蓋９内に引っかける。既製油圧ジャッキ２を手動で作動させることにより、押し上げプレート３が上昇、スタットボルト５を介して円形水路１０にはめ込んであるグレーチング蓋９がせり上がり、取り外す事が出来るようにした。
【考案の効果】
【０００５】円形水路グレーチング蓋を取り外す場合、本器具を使用する事により過大な労力を使わずに、簡単且つ速やかに取り外す事が出来、スペースの狭い場所であっても安全に作業する事が可能。
【考案を実施するための最良の形態】
【０００６】以下、本考案の実施形態を図面に基づき詳細に説明する。【０００７】図１〜図４は本考案の実施形態に係り、図１はその円形水路グレーチング蓋をまたいで設置し、引っ張りフックをグレーチング内に引っかけた斜視図、図２はその正面図、図３はその側面図、図４はその立面図である。【０００８】図１に示すように本体フレーム１とそれに既製油圧ジャッキ２を内蔵したものである。【０００９】図２に示すように、道路面１１に本体フレーム１がグレーチング蓋９を跨ぐように設置し、引っ張りフック６をグレーチング蓋９内に挿入、グレーチング蓋９に引っかけ既製油圧ジャッキ２のレバーハンドル１２を上下動させることにより、既製油圧ジャッキ２のシリンダーが作動。スタットボルト５を経由した応力が引っ張りフック６をせり上がらせる事により、円形水路グレーチング蓋１０が簡単に取り外す事が出来る構造のものである。
【産業上の利用可能性】
【００１０】本考案はコンクリート二次製品の製造、販売する産業分野及び道路維持管理業務の分野で利用する事が出来る。
【図面の簡単な説明】
【００１１】
【図１】器具を円形水路グレーチング蓋を跨いで道路面に設置した斜視図である。
【図２】器具を円形水路グレーチング蓋を跨いで道路面に設置した正面図である。
【図３】器具を円形水路グレーチング蓋を跨いで道路面に設置した側面図である。
【図４】器具を円形水路グレーチング蓋を跨いで道路面に設置した平面図である。
【符号の説明】
【００１２】１      本体フレーム
２      既製油圧ジャッキ
３      押し上げプレート
４      引っ張りプレート
５      スタットボルト
６      引っ張りフック
７      調整ねじ
８      調整ねじ
９      グレーチング蓋
１０    円形水路
１１    道路面
【図１】
0003111374.tif 000003
【図２】
0003111374.tif 000004
【図３】
0003111374.tif 000005
【図４】
0003111374.tif 000006
【手続補正書】
【提出日】平成17年3月23日(2005.3.23)
【手続補正１】
【補正対象書類名】実用新案登録請求の範囲
【補正対象項目名】全文
【補正方法】変更
【補正の内容】
【実用新案登録請求の範囲】
【請求項１】
垂直に起立する本体フレーム内中間部ベースプレート上に油圧ジャッキを固定、前記本体フレーム側面にガイド空隙部を上下各一対もうけ、空隙部を両側に貫通した上下一対の押し上げプレートと引っ張りプレート、前記各プレートを介するスタットボルトを継し、懸架した引き上げプレートに固定した引っ張りフックが連動し、摺動位置可変調整ネジをスタットボルト上部に螺着する構成とし、複数の支持部によって油圧ジャッキによる吊上げ推力を引っ張りフックに伝動させる事を特徴とする円形水路グレーチング蓋取り外し器。
【手続補正２】
【補正対象書類名】明細書
【補正対象項目名】全文
【補正方法】変更
【補正の内容】
【考案の詳細な説明】
【技術分野】
【０００１】本考案は、主として道路側溝に使用されている円形水路上に敷設されているグレーチング蓋の取り外しに関する。
【背景技術】
【０００２】従来、様々な道路側溝蓋の取り外し器があったが、重量があり、持ち運び及び操作性に難があり、それらの器具は、円形水路グレーチング蓋の取り外しには適さない為に、梃などを用いて人力にて前記円形水路グレーチング蓋の取り外しを行っている現状により本考案に至った。
【考案の開示】
【考案が解決しようとする課題】
【０００３】上記の如く、円形水路グレーチング蓋を鋼性バール及びフック等を用いて、人力にての取り外し作業は、多大な労力と時間が掛かる等の課題があり短時間での作業は困難である。
【課題を解決するための手段】
【０００４】上記目的を達成すべく、本考案は、本体フレーム内に固定した油圧ジャッキを動作させた時の推力が押し上げプレートを可動させることにより、スタットボルトを継し引っ張りプレートを吊上げると共に、引っ張りプレートに固定されている引っ張りフックが鉛直方向可動する一連の伝動動作が出来ることにより円形水路グレーチング蓋の取り外しが出来る事を特徴とする。
【考案の効果】
【０００５】円形水路グレーチング蓋を取り外す場合、本器具を使用する事により過重労働無しに、簡単且つ速やかに取り外す事が出来、狭小部であっても安全に作業を行う事が可能である。
【考案を実施するための最良の形態】
【０００６】以下、本考案の実施の形態を図面に基づき詳細に説明する。【０００７】図１〜図４は本考案の実施の形態に係り、図１はその円形水路グレーチング蓋をまたいで設置した斜視図、
図２はその正面図、図３はその側面図、図４はその立面図である。【０００８】図１に示すように本体フレーム１と前記本体フレーム内ベースプレート１２に油圧ジャッキ２を固定し油圧ジャッキ２を動作させた時、上端で押し上げプレート３を動作させると同時にスタットボルト５を経由した応力が引っ張りプレート４と共に円形水路グレーチング蓋９の空隙部を通し円形水路グレーチング蓋内に掛けてある引っ張りフック６が上方向に動作し円形水路グレーチング蓋９を取り外す事が出来る構造である。【０００９】図２に示すように、本体フレーム１下端より下に出ている引っ張りフック６先端を円形水路グレーチング蓋９に掛けて油圧ジャッキを動作させた時、円形水路グレーチング蓋９が引っ張りフック６と共に可動する。
【産業上の利用可能性】本考案は、道路維持管理業務において、円形水路にグレーチング蓋が敷設されている円形水路内清掃において、円形水路グレーチング蓋取り外し器として適用すれば、グレーチング蓋部材を損なわず少ない労力及び時間にて取り外しが容易である。
【図面の簡単な説明】
【００１０】
【図１】本器具を円形水路グレーチング蓋を跨いで道路面に設置した斜視図である。
【図２】本器具を、円形水路グレーチング蓋を跨いで道路面上に設置した正面図である。
【図３】本器具の右側面図である。
【図４】本器具の平面図である。
【符号の説明】
【００１１】  １        本体フレーム
２        油圧ジャッキ
３        押し上げプレート
４        引っ張りプレート
５        スタットボルト
６        引っ張りフック
７        調整ねじ
８レバーハンドル
９円形水路グレーチング蓋
１０        円形水路
１１        道路面
１２        ベースプレート
【手続補正３】
【補正対象書類名】図面
【補正対象項目名】全図
【補正方法】変更
【補正の内容】
【図１】
0003111374.tif 000007
【図２】
0003111374.tif 000008
【図３】
0003111374.tif 000009
【図４】
0003111374.tif 000010